(57)【要約】【課題】  被取付体の外側からの作業のみで着脱が可能となる作業性の良好なコネクタ装置を提供する。 【解決手段】   配線ボックスの側板５０に取り付けられる筒状のコネクタ本体２と、このコネクタ本体２に装着される操作用ナット３とを備える。コネクタ本体２には、側板５０に形成された取付孔５１に外側から挿入されて該側板５０の内側で該取付孔５１の周縁部と係合する係止突起１２と、この係止突起１２を先端に有した撓み反発性を有する挿入係止片１３と、この挿入係止片１３をコネクタ本体内側に向けて変位させる係合解除操作部１４とからなる可撓弾性片１１が一体に設けられており、コネクタ本体２を側板５０に固定する場合には、係合解除操作部１４が操作用ナット３によって覆われ、コネクタ本体２を側板５０から取り外す場合には、係合解除操作部１４がコネクタ本体２の外周面に現れる。【選択図】      図７
2005348591.tif 000002
【特許請求の範囲】
【請求項１】
被取付体に取り付けられる筒状のコネクタ本体と、該コネクタ本体に装着される環状操作部材とを備えたコネクタ装置であって、
前記コネクタ本体には、前記被取付体に形成された取付孔に外側から挿入されて該被取付体の内側で該取付孔の周縁部と係合する係止部と、該係止部を先端に有した撓み反発性を有する挿入係止片と、該挿入係止片をコネクタ本体内側に向けて変位させる被押圧部とからなる可撓弾性片が一体に設けられており、
前記コネクタ本体を前記被取付体に固定する場合には、前記被押圧部が前記環状操作部材によって覆われ、前記コネクタ本体を前記被取付体から取り外す場合には、前記被押圧部が前記コネクタ本体の外周面に現れる
ことを特徴とするコネクタ装置。 
【請求項２】
請求項１に記載のコネクタ装置であって、
前記環状操作部材は、前記被取付体の外側で前記取付孔の周縁部に係合し、前記係止部とで前記被取付体を挟持して、前記コネクタ本体を前記被取付体に固定させる
ことを特徴とするコネクタ装置。
【請求項３】
請求項１または請求項２に記載のコネクタ装置であって、
前記可撓弾性片は、前記コネクタ本体の周壁の一部であり、
前記周壁の外側面と前記環状操作部材の内側面のそれぞれに、互いに螺合するねじ部が形成され、
前記環状操作部材の回転操作に伴い互いのねじ部の螺合により、当該環状操作部材が前記コネクタ本体の軸方向に移動自在となる
ことを特徴とするコネクタ装置。
【請求項４】
請求項３に記載のコネクタ装置であって、
前記ねじ部は、前記被押圧部を除く前記周壁の外側面に形成されている
ことを特徴とするコネクタ装置。
【請求項５】
請求項３または請求項４に記載のコネクタ装置であって、
前記ねじ部は、ねじ山が１〜３ピッチのみ形成されている
ことを特徴とするコネクタ装置。
【発明の詳細な説明】
【技術分野】
【０００１】
本発明は、コネクタ装置に関し、さらに詳しくは、被取付体に管を繋ぐために装着するコネクタ装置に関する。
【背景技術】
【０００２】
従来、配線ボックスに管状固定部材を取り付けて配線を配索する場合、管状固定部材を配線ボックスの側壁の外側と内側とからねじ部材を用いた挟み込みにより固定し、その後、ボックスカバーや養生テープを取り付けることが行われていた。
【０００３】
ところで、この構造においては、配線ボックスに対する管状固定部材の取付位置を変更したい場合には、ボックスカバーや養生テープを取り外すと共に、配線ボックスの内側のねじ部材（例えば、ボルトやナット）を取り外す必要がある。そのため、この構造では、管状固定部材の着脱作業が非常に面倒であった。
【０００４】
また、配線ボックスは、鋼製や樹脂製のものなどがあり鋼製材料の違いや製造業者の違いによっても、ボックス側壁の板厚が大きく異なる場合があった。このため、管状固定部材を取り付けるためのねじ部材の長さの変更が要求されるものであった。
【０００５】
さらに、配線ボックスの側壁の取付孔に挿入係止片を入れた後、筒状の挟持部材で側壁を挟持する構成の管固定装置が知られている（例えば、特許文献１、２参照）。
【特許文献１】特開昭６３−１７１１０８号公報（第３〜５頁、第１図）
【特許文献２】実開平２−７５９２２号公報（第７〜８頁、第６図、第７図）
【発明の開示】
【発明が解決しようとする課題】
【０００６】
しかしながら、上述した特許文献１及び２に開示された技術では、挿入係止片を取付孔に一旦装着したときは、配線ボックスの内側から鍔部分を取り外すか、外側から治具を用いるかして挿入係止片を取付孔との係止状態を解除する必要があった。
【０００７】
すなわち、特許文献１に開示されたものは、筒体を配線ボックスに取り付けたときに、そのボックスの壁面と挟持部材の先端部との間隔が狭く、本願の特徴的な構成の一つである係合解除操作部（後述する）が形成されていないため、配線ボックスのカバーを開けて鍔部を指などで押圧するか、嵌合溝をドライバーなどで押圧するという作業を要した。
【０００８】
また、特許文献２に開示されたものは、締付スリーブがコネクタ本体の外周を略被覆した状態で装着されるため、締付スリーブを緩める際には、当該コネクタ本体の先端部を押さえながら緩めることが必要であり、そのような作業をしなかった場合には、コネクタ本体と締付スリーブ双方のネジの摩擦力によって、当該締付スリーブの回転と共に、コネクタ本体も回転する構成となっている。
【０００９】
従って、当該文献に開示されたものでは、配線ボックスのを開けずにコネクタ本体を取り外すことはできず、取り外すためには、当該配線ボックスのカバーを開けて、鍔部を指などで押圧しなければならなかった。尚、配線ボックスと弾性係合片との摩擦により、当該締付スリーブを外部から回転可能に構成したとしても、締付スリーブの先端部が外周方向に向って広がっており、弾性係止片を指などで押圧することが困難なため（すなわち、本願の特徴的な構成の一つである係合解除操作部が形成されていないため）、当該文献に開示された技術においても、弾性係止片をドライバーなどで押圧するという作業を要した。
【００１０】
このように、従来技術では、管固定装置を配線ボックスから取り外す場合には、配線ボックスのカバーを開けて鍔部を押圧したり、カバーを開けない場合には、ドライバーなどの治具で押圧することが必要であり、作業が非常に煩雑であるという問題点を有していた。
【００１１】
そこで、本発明は、上記の課題を解決するためになされたものであり、被取付体の外側からの作業のみで着脱が可能となる作業性の良好なコネクタ装置を提供することを目的とする。
【課題を解決するための手段】
【００１２】
本発明に係るコネクタ装置は、被取付体に取り付けられる筒状のコネクタ本体と、該コネクタ本体に装着される環状操作部材とを備え、コネクタ本体には、前記被取付体に形成された取付孔に外側から挿入されて該被取付体の内側で該取付孔の周縁部と係合する係止部と、該係止部を先端に有した撓み反発性を有する挿入係止片と、該挿入係止片をコネクタ本体内側に向けて変位させる被押圧部とからなる可撓弾性片が一体に設けられている。
【００１３】
そして、このコネクタ装置では、前記コネクタ本体を前記被取付体に固定する場合には、前記被押圧部が前記環状操作部材によって覆われ、前記コネクタ本体を前記被取付体から取り外す場合には、前記被押圧部が前記コネクタ本体の外周面に現れる。
【発明の効果】
【００１４】
本発明のコネクタ装置によれば、被取付体の外側からの作業のみでコネクタ本体の着脱を行うことができ、コネクタ本体の取付位置を変更する場合でも簡単に着脱することができ、取付作業性を大幅に高めることができる。
【００１５】
また、本発明のコネクタ装置によれば、コネクタ本体を被取付体に固定する場合には、被押圧部は環状操作部材によって覆われるため、不用意に被押圧部が押されてコネクタ本体が被取付体から脱落するのを防止できる。
【００１６】
また、本発明のコネクタ装置によれば、被押圧部を手で押すことにより簡単に係止部と取付孔の周縁部との係合が解除され、コネクタ本体を被取付体から取り外すことができる。
【発明を実施するための最良の形態】
【００１７】
以下、本発明を適用した具体的な実施の形態について図面を参照しながら詳細に説明する。
【００１８】
「コネクタ装置の構成」
図１はコネクタ装置を示す分解斜視図、図２は固定状態のときのコネクタ装置の斜視図、図３は取り外し状態のときのコネクタ装置の斜視図、図４から図７はコネクタ装置の着脱工程を順次示す要部拡大断面図である。
【００１９】
本実施の形態のコネクタ装置１は、コネクタ本体２と、このコネクタ本体２に装着される管状操作部材としての操作用ナット３とからなる。これらコネクタ本体２と操作用ナット３は、例えば合成樹脂を金型内に充填させることにより形成される射出成形によって形成される。
【００２０】
コネクタ本体２は、図１から図３に示すように、略円筒形状であり、周壁が、一方の端部（取付側端部）へ向けて多段的（本実施の形態では３段）に径寸法が細くなると共に、他方の端部には図示しない配管の端部を保持するための袋ナット４が回動可能に嵌合保持されている。
【００２１】
上記した多段的に縮径する端部側の構造を説明すると、コネクタ本体２の一方側には、袋ナット４の一方の端部近傍から大径部５と、この大径部５に段差部６を介して大径部５より径寸法の小さい中径部７と、この中径部７に段差部８を介して中径部７よりも径寸法の小さい小径部９とが形成されている。
【００２２】
大径部５には、袋ナット４をその周面に回転自在とさせるための円環状をなす係合溝１６が形成されている。この係合溝１６には、袋ナット４の内面に形成された円環状の係合突起１７が嵌合する。これら係合溝１６への係合突起１７の嵌合により、前記袋ナット４が大径部５に対して回転可能となる。
【００２３】
中径部７の周壁の外側面７ａには、図１に示すように、後述する操作用ナット３と螺合するねじ部である雄ねじ１０が刻設されている。かかる雄ねじ１０は、中径部７の先端側にのみそのねじ山を１〜３ピッチとして形成されており、その他の部分には形成されていない。また、この雄ねじ１０は、中径部７の先端側であっても、後述する被押圧部である係合解除操作部１４には形成されていない。
【００２４】
小径部９は、被取付体である配線ボックスの側板５０に形成された円形状の取付孔５１よりも若干直径が小さい円筒体として形成されている。この小径部９は、配線ボックスの外側から取付孔５１を通してその内部へと突出するようになっている。
【００２５】
そして、これら大径部５、中径部７及び小径部９からなるコネクタ本体２には、中径部７から小径部９の周壁に亘って平面視略コ字状に切り込まれて形成された、一対の可撓弾性片１１が形成されている。これら一対の可撓弾性片１１は、１８０度反転した相対向する位置に設けられており、いわゆる方持ち梁状態に保持した先端側部を互いに接近または離反させる方向に可動自在とされている。
【００２６】
かかる可撓弾性片１１は、図４から図７に示すように、被取付体である配線ボックスの側板５０に形成された円形状の取付孔５１に外側から挿入されて該配線ボックスの内側で該取付孔５１の周縁部と係合する係止部である係止突起１２と、該係止突起１２を先端に有した撓み反発性を有する挿入係止片１３と、該挿入係止片１３をコネクタ本体内側に向けて変位させる被押圧部である係合解除操作部１４とを有している。
【００２７】
係止突起１２は、小径部９の周壁の外側面から中径部７側へ向けて斜め外側へ傾く斜面を有する断面直角三角形状をなす突起として形成されている。この係止突起１２は、配線ボックスの側板５０に形成された取付孔５１に挿入されたときに、該配線ボックス内側で当該取付孔５１の開口周縁部に係合する係止部として機能する。
【００２８】
挿入係止片１３は、係止突起１２と係合解除操作部１４との間に設けられ、小径部９の周壁の一部からなる。この挿入係止片１３は、小径部９の周壁の一部であるため、その外周面が当該小径部９の外側面とほぼ面一とされている。
【００２９】
係合解除操作部１４は、例えば指などで押されることによりコネクタ本体内側に撓んでコネクタ本体２の着脱操作を行う操作片であり、前記中径部７の小径部９寄りの先端側に形成され、前記した係止突起１２を先端に有した挿入係止片１３を一体化させている。この係合解除操作部１４は、中径部７の全体に亘って形成されるのではなく、該中径部７の先端側からその中央付近までの範囲にのみ形成されている。また、この係合解除操作部１４は、コネクタ本体２が配線ボックスに固定されたときには、後述する操作用ナット３にて覆われ、コネクタ本体２を配線ボックスから取り外すときには、コネクタ本体２の外周面に現れるようになっている。
【００３０】
操作用ナット３は、前記中径部７に形成された雄ねじ１０と螺合するねじ部である雌ねじ１５を内側面に有したリングとされている。この操作用ナット３は、中径部７に装着され、当該中径部７の軸方向にスライド自在とされている。コネクタ本体２を配線ボックスに固定させるときには、操作用ナット３を小径部９側へスライドさせて前記雄ねじ１０に雌ねじ１５を螺合させる。配線ボックスからコネクタ本体２を外すときには、雄ねじ１０との螺合を解除して操作用ナット３を大径部５側へスライドさせる。
【００３１】
なお、本実施の形態に係るコネクタ装置１では、袋ナット４を回転操作して図示しない配管を固定するための回転方向と、操作用ナット３を回転させて該操作用ナット３を小径部９側へ移動させる回転方向とが逆（いわゆる逆ねじ）に設定されている。これにより、操作用ナット３と袋ナット４の何れかを操作したときに、他方が緩まないようになされている。
【００３２】
「コネクタ装置の着脱操作」
次に、上述のように構成されたコネクタ装置１の配線ボックスに対する着脱操作について図面を参照しながら説明する。
【００３３】
配線ボックスにコネクタ装置１を取り付けるに際しては、図４に示すように、予めコネクタ本体２に操作用ナット３を装着させ、中径部７の先端側に形成した雄ねじ１０に雌ねじ１５を螺合させておく。
【００３４】
そして、このコネクタ本体２を、図４に示すように、配線ボックスの側板５０に形成された取付孔５１に挿入する。すると、挿入係止片１３の先端に形成された係止突起１２が取付孔５１の開口周縁部と接触し、その接触力によって可撓弾性片１１がコネクタ本体内側に撓む。この状態からさらにコネクタ本体２を挿入させると、小径部９が取付孔５１を通して配線ボックスの内側に突出する。このとき、係止突起１２は、図５に示すように、自身の弾性力により元の状態に復帰し、配線ボックスの内側において該取付孔５１の開口周縁に接触して係合する。かかる係止突起１２が取付孔５１の開口周縁に係合することによって、コネクタ本体２は、前記取付孔５１から不用意に取り外し不可能になる。
【００３５】
次に、操作用ナット３を手で回転させることにより、該操作用ナット３を側板５０に近接させて行く。そして、操作用ナット３が側板５０に当接するまで当該操作用ナット３を回転させて締め付ける。その結果、側板５０は、図６に示すように一対の係止突起１２と操作用ナット３により挟持される。これにより、コネクタ装置１は、配線ボックスの側板２０に固定された状態となる。コネクタ装置１が配線ボックスに固定された状態においては、係合解除操作部１４は操作用ナット３に覆われた状態にあるので、不用意にこの係合解除操作部１４が押されることによって前記コネクタ本体２が取付孔５１から脱落するのを未然に防止できる。
【００３６】
そしてこの状態で、袋ナット４に図示しない配線挿入用の配管の端部を固定する。このとき、袋ナット４は、操作用ナット３の締め方向と逆ねじの関係になっているため、配管を袋ナット４で保持操作する際に、操作用ナット３が緩んでコネクタ装置１が側板５０から外れてしまうことを防止できる。
【００３７】
一方、コネクタ装置１を配線ボックスから取り外すには、操作用ナット３を先程とは反対方向に回転させる。そして、この操作用ナット３を回転させて中径部７に形成された雌ねじ１５と操作用ナット３の雌ねじ１５との螺合が解除されたら、この操作用ナット３を大径部５側へとスライドさせる。すると、この操作用ナット３が大径部５へとスライドされることにより、当該操作用ナット３の下に隠れていた係合解除操作部１４が露出する。
【００３８】
次に、中径部７の外側面に露出した係合解除操作部１４を、指などでコネクタ本体内側へ押す。すると、方持ち梁状態にある可撓弾性片１１が撓み、その先端部の係止突起１２がコネクタ本体２の内部へ押し込まれる。この可撓弾性片１１が撓んだ状態では、係止突起１２は取付孔５１の開口周縁部と非接触状態となることから、当該取付孔５１から前記小径部９が抜き出し可能となる。
【００３９】
上述のように、本実施の形態のコネクタ装置１では、配線ボックスの中に手を入れて作業をすることなく、該配線ボックスの外側における操作のみでコネクタ装置１を配線ボックスに着脱させることができる。そのため、本実施の形態のコネクタ装置１によれば、配線ボックスへの着脱作業を簡単に行うことができ、また、この配線ボックスへの取付位置を変更したい場合にも容易に変更することができる。
【００４０】
また、本実施の形態のコネクタ装置１では、コネクタ本体２を配線ボックスに固定する場合には係合解除操作部１４が操作用ナット３によって覆われるため、不用意に係合解除操作部１４が押されることはなく、外力による脱落を未然に防止することができる。
【００４１】
また、本実施の形態のコネクタ装置１では、係合解除操作部１４を指などで押すことで容易に係止突起１２と取付孔５１の開口周縁部との係合を解除することができるので、簡単にコネクタ本体２を配線ボックスから取り外すことができる。
【００４２】
また、本実施の形態のコネクタ装置１によれば、配線ボックスの側板５０に形成された取付孔５１の開口周縁部に係合する係止突起１２と、スライド自在な操作用ナット３により側板５０を挟持させて当該コネクタ本体２を配線ボックスに固定させる構造としたことから、側板５０の厚みの異なる配線ボックスにも取り付け可能となる。例えば、鋼製や樹脂製などのように材料違いや製造業者違いによって配線ボックスの側板５０の厚みが異なっていても、それらに対応してコネクタ装置１を取り付けることができる。
【００４３】
また、本実施の形態のコネクタ装置１によれば、操作用ナット３を回転させて締め付ける締め付け力が配線ボックスへの固定力になるので、コネクタ本体２を強固に固定させることができる。
【００４４】
また、本実施の形態のコネクタ装置１によれば、係合解除操作部１４には雄ねじ１０が形成されていないことから、安全にこの係合解除操作部１４を指などで押すことができる。
【００４５】
また、本実施の形態のコネクタ装置１によれば、雄ねじ１０のねじ山を１〜３ピッチのみとしているので、コネクタ本体２の取り外し時に、操作用ナット３を少ない回転数で雄ねじ１０から開放させて当該操作用ナット３を軸方向にスライドさせることができる。
【００４６】
また、本実施の形態のコネクタ装置１では、操作用ナット３と袋ナット４とをいわゆる逆ねじの関係に設定したことにより、上述した効果に加えて、コネクタ装置１を装着操作時に袋ナット４が解除側に回らないようにできる。すなわち、係止突起１２を取付孔５０に装着した後、操作用ナット３の外周面を掴んで、袋ナット４を例えば右回りに回しながら、操作用ナット３で板厚調整を行うことが可能となる。なお、この場合、袋ナット４は左回りで解除操作を行って図示しない配管を取り外し、右回りで接続位置に戻すということが可能となる。
【００４７】
以上、本発明を適用した具体的な実施の形態について説明したが、本発明は、上述の実施の形態に制限されることなく種々の変更が可能である。
【００４８】
例えば、上述の実施の形態では、配線ボックスの側板５０に形成された取付孔５１に、本発明のコネクタ装置１を着脱自在に取り付けたが、配線ボックスには限定されることなく、あらゆる板材の孔にコネクタ装置１を取り付けることが可能である。
【図面の簡単な説明】
【００４９】
【図１】本実施の形態のコネクタ装置を示す分解斜視図である。
【図２】本実施の形態のコネクタ装置を示し、固定状態を示す斜視図である。
【図３】本実施の形態のコネクタ装置を示し、取り外し状態を示す斜視図である。
【図４】本実施の形態のコネクタ装置の着脱工程のうち、取付孔への挿入前状態を示す要部拡大断面図である。
【図５】本実施の形態のコネクタ装置の着脱工程のうち、挿入完了状態を示す要部拡大断面図である。
【図６】本実施の形態のコネクタ装置の着脱工程のうち、操作用ナットによる締め付け状態を示す要部拡大断面図である。
【図７】本実施の形態のコネクタ装置の着脱工程のうち、取り外した状態を示す要部拡大断面図である。
【符号の説明】
【００５０】
１…コネクタ装置
２…コネクタ本体
３…操作用ナット（環状操作部材）
４…袋ナット
５…大径部
７…中径部
９…小径部
１０…雄ねじ（ねじ部）
１１…可撓弾性片
１２…係止突起
１３…挿入係止片
１４…係合解除操作部（被押圧部）
１５…雌ねじ（ねじ部）
５０…側板（被取付体）
５１…取付孔
【図１】
2005348591.tif 000003
【図２】
2005348591.tif 000004
【図３】
2005348591.tif 000005
【図４】
2005348591.tif 000006
【図５】
2005348591.tif 000007
【図６】
2005348591.tif 000008
【図７】
2005348591.tif 000009